(57)【要約】【課題】浴槽に対する湯張りの完了の予定時刻の設定が行われた場合に、貯湯タンク内の残湯量の不足により、上記の予定時刻に湯張りが未完了になることを防止できる貯湯式給湯装置を提供する。【解決手段】この貯湯式給湯装置は、湯張り完了の予定時刻ｔ１が設定されると（Ｓ１）、湯張り開始時刻ｔ２を算出し（Ｓ２）、そして貯湯タンク５の残湯量が湯張りに必要な所定量未満であるか否かの検出を行い（Ｓ３）、その検出の結果、前記残湯量が前記所定量未満の場合は、その不足湯量を沸き上げるのに要する所要時間Δ２を計算して不足湯量沸上開始時刻ｔ３を算出し（Ｓ４）、現在時刻が時刻ｔ３以降である場合には、貯湯タンク内の水を加熱して不足湯量を沸き上げる。【選択図】図３
2010151362.tif 000002
【特許請求の範囲】
【請求項１】
貯湯タンク（５）と、
前記貯湯タンク内の水を加熱する加熱手段（３）と、
前記貯湯タンク内の残湯量を検出する残湯量検出手段（１５０ａ）と、
前記所定の浴槽（９）に対する湯張りまたは追い焚きを開始する第１時刻（ｔ２）を設定する開始時刻設定手段（１５０ｄ）と、
前記残湯量検出手段の検出結果に基づき前記貯湯タンク内の残湯量が前記所定の浴槽に対する湯張りまたは追い焚きに必要な所定量未満であるか否かを監視する監視手段（１５０ｂ）と、
前記監視手段により前記残湯量が前記所定量未満であると判定された場合に、前記残湯量の前記所定量に対する不足湯量を沸き上げるのに要する第１所要時間（Δｔ２）を算出し、前記第１時刻から前記第１所要時間遡った第２時刻（ｔ３）を算出する沸上開始時刻算出手段（１５０ｃ）と、
現在時刻が前記第２時刻以降になると、前記加熱手段を動作させて前記貯湯タンク内の水を加熱させる制御手段（１５０ｅ）と、
を備えることを特徴とする貯湯式給湯装置。
【請求項２】
貯湯タンク（５）と、
前記貯湯タンク内の水を加熱する加熱手段（３）と、
前記貯湯タンク内の残湯量を検出する残湯量検出手段（１５０ａ）と、
前記所定の浴槽（９）に対する湯張りまたは追い焚きを開始する第１時刻（ｔ２）を設定する開始時刻設定手段（１５０ｄ）と、
前記残湯量検出手段の検出結果に基づき前記貯湯タンク内の残湯量が前記所定の浴槽に対する湯張りまたは追い焚きに必要な所定量未満であるか否かを監視する監視手段（１５０ｂ）と、
前記監視手段により前記残湯量が前記所定量未満であると判定された場合に、前記残湯量の前記所定量に対する不足湯量を沸き上げるのに要する第１所要時間（Δｔ２）を算出し、前記第１時刻から前記第１所要時間遡った第２時刻（ｔ３）を算出する沸上開始時刻算出手段（１５０ｃ）と、
前記残湯量検出手段の検出結果に基づき１日における一定時刻毎の出湯量を推定する推定手段（１５０ｆ）と、
前記推定手段の推定結果に基づき、前記第１時刻と前記第２時刻との間の時刻間で発生する時刻間出湯量を算出する時刻間出湯量算出手段（１５０ｇ）と、
を備え、
前記沸上開始時刻算出手段は更に、前記不足湯量に前記時刻間出湯量を加えた湯量を沸き上げるのに要する第２所要時間（Δｔ４）を算出し、前記第１時刻から前記第２所要時間遡った第３時刻（ｔ３）を算出し、
現在時刻が前記第３時刻以降になると、前記加熱手段を動作させて前記貯湯タンク内の水を加熱させる制御手段（１５０ｅ）
を更に備えることを特徴とする貯湯式給湯装置。
【請求項３】
請求項１または請求項２に記載の貯湯式給湯装置であって、
前記沸上開始時刻算出手段は、前記加熱手段の出力値として、その第１の出力値よりも低い第２の出力値を用いて前記第１所要時間を計算することを特徴とする貯湯式給湯装置。
【請求項４】
請求項１または請求項２に記載の貯湯式給湯装置であって、
前記沸上開始時刻算出手段は、前記第１時刻から、前記第１所要時間と更に予め設定された所定時間とを遡って、前記第２時刻を算出することを特徴とする貯湯式給湯装置。
【請求項５】
請求項１に記載の貯湯式給湯装置であって、
前記制御手段は、現在時刻が前記第２時刻以降になった場合において、現在時刻と前記第２時刻との差が所定時間以上でない場合は、前記加熱手段を第１の出力値で前記貯湯タンク内の水を加熱させ、現在時刻と前記第２時刻との差が前記所定時間以上である場合は、前記加熱手段を前記第１の出力値よりも高い第２の出力値で前記貯湯タンク内の水を加熱させることを特徴とする貯湯式給湯装置。
【請求項６】
請求項２に記載の貯湯式給湯装置であって、
前記制御手段は、現在時刻が前記第３時刻以降になった場合において、現在時刻と前記第３時刻との差が所定時間以上でない場合は、前記加熱手段を第１の出力値で前記貯湯タンク内の水を加熱させ、現在時刻と前記第３時刻との差が前記所定時間以上である場合は、前記加熱手段を前記第１の出力値よりも高い第２の出力値で前記貯湯タンク内の水を加熱させることを特徴とする貯湯式給湯装置。
【発明の詳細な説明】
【技術分野】
【０００１】
本発明は、浴槽に対する湯張りまたは追い焚きの完了を予定する時刻の設定を行える貯湯式給湯装置に関する。
【背景技術】
【０００２】
最近の貯湯式給湯装置では、設置スペースを小さくするために小容量（例えば浴槽の容量以下）の貯湯タンクを用いている。
【０００３】
またこの種の貯湯式給湯装置のなかには、浴槽に対する湯張りまたは追い焚き（以後、「湯張り等」と呼ぶ）の完了を予定する時刻の設定を行えるものがある。即ち、浴槽に対する湯張り等の完了を予定する時刻（予定時刻）の設定が行われると、その予定時刻から湯張り等に要する時間遡った時刻になると、湯張り等が開始されて当該予定時刻に完了される。
【０００４】
しかしこの様な貯湯式給湯装置では、貯湯タンクの容量が小さいので、湯張り等の開始前に貯湯タンク内の残湯量が少なくなると、湯張り等の途中で湯切れになり、予定時間に湯張り等を完了できなくなる。
【０００５】
この問題点を解決するものとして特許文献１の技術が開示されている。特許文献１では、予定時刻が設定されると、貯湯タンク内の水を加熱して貯湯タンク内の残湯量を全量状態にして、湯張り等の途中で湯切れする事を防止するものである。
【０００６】
【特許文献１】特開２００７−２１２０５７号公報
【発明の開示】
【発明が解決しようとする課題】
【０００７】
特許文献１では、貯湯タンクの容量が小さい場合は、予定時刻の設定後から湯張り等の開始までの間に大量出湯が発生すると、やはり湯張り等の開始直前に貯湯タンク内の残湯量が少なくなり、湯張り等の途中で湯切れになり、予定時間に湯張り等を完了できなくなる。
【０００８】
この発明の課題は、上記のような問題点を解決するためになされたものであり、浴槽に対する湯張りまたは追い焚きの完了を予定する時刻（予定時刻）の設定が行われた場合に、貯湯タンク内の残湯量の不足により、予定時刻に湯張りまたは追い焚きが未完了になることを防止できる貯湯式給湯装置を提供することにある。
【課題を解決するための手段】
【０００９】
上記課題を解決する為に、本発明の第１の態様は、貯湯タンク（５）と、前記貯湯タンク内の水を加熱する加熱手段（３）と、前記貯湯タンク内の残湯量を検出する残湯量検出手段（１５０ａ）と、前記所定の浴槽（９）に対する湯張りまたは追い焚きを開始する第１時刻（ｔ２）を設定する開始時刻設定手段（１５０ｄ）と、前記残湯量検出手段の検出結果に基づき前記貯湯タンク内の残湯量が前記所定の浴槽に対する湯張りまたは追い焚きに必要な所定量未満であるか否かを監視する監視手段（１５０ｂ）と、前記監視手段により前記残湯量が前記所定量未満であると判定された場合に、前記残湯量の前記所定量に対する不足湯量を沸き上げるのに要する第１所要時間（Δｔ２）を算出し、前記第１時刻から前記第１所要時間遡った第２時刻（ｔ３）を算出する沸上開始時刻算出手段（１５０ｃ）と、現在時刻が前記第２時刻以降になると、前記加熱手段を動作させて前記貯湯タンク内の水を加熱させる制御手段（１５０ｅ）と、を備えるものである。
【００１０】
本発明の第２の態様は、貯湯タンク（５）と、前記貯湯タンク内の水を加熱する加熱手段（３）と、前記貯湯タンク内の残湯量を検出する残湯量検出手段（１５０ａ）と、前記所定の浴槽（９）に対する湯張りまたは追い焚きを開始する第１時刻（ｔ２）を設定する開始時刻設定手段（１５０ｄ）と、前記残湯量検出手段の検出結果に基づき前記貯湯タンク内の残湯量が前記所定の浴槽に対する湯張りまたは追い焚きに必要な所定量未満であるか否かを監視する監視手段（１５０ｂ）と、前記監視手段により前記残湯量が前記所定量未満であると判定された場合に、前記残湯量の前記所定量に対する不足湯量を沸き上げるのに要する第１所要時間（Δｔ２）を算出し、前記第１時刻から前記第１所要時間遡った第２時刻（ｔ３）を算出する沸上開始時刻算出手段（１５０ｃ）と、前記残湯量検出手段の検出結果に基づき１日における一定時刻毎の出湯量を推定する推定手段（１５０ｆ）と、前記推定手段の推定結果に基づき、前記第１時刻と前記第２時刻との間の時刻間で発生する時刻間出湯量を算出する時刻間出湯量算出手段（１５０ｇ）と、を備え、前記沸上開始時刻算出手段は更に、前記不足湯量に前記時刻間出湯量を加えた湯量を沸き上げるのに要する第２所要時間（Δｔ４）を算出し、前記第１時刻から前記第２所要時間遡った第３時刻（ｔ３）を算出し、現在時刻が前記第３時刻以降になると、前記加熱手段を動作させて前記貯湯タンク内の水を加熱させる制御手段（１５０ｅ）を更に備えるものである。
【００１１】
本発明の第３の態様は、第１の態様または第２の態様に記載の貯湯式給湯装置であって、前記沸上開始時刻算出手段は、前記加熱手段の出力値として、その第１の出力値よりも低い第２の出力値を用いて前記第１所要時間を計算するものである。
【００１２】
本発明の第４の態様は、第１の態様または第２の態様に記載の貯湯式給湯装置であって、前記沸上開始時刻算出手段は、前記第１時刻から、前記第１所要時間と更に予め設定された所定時間とを遡って、前記第２時刻を算出するものである。
【００１３】
本発明の第５の態様は、第１の態様に記載の貯湯式給湯装置であって、前記制御手段は、現在時刻が前記第２時刻以降になった場合において、現在時刻と前記第２時刻との差が所定時間以上でない場合は、前記加熱手段を第１の出力値で前記貯湯タンク内の水を加熱させ、現在時刻と前記第２時刻との差が前記所定時間以上である場合は、前記加熱手段を前記第１の出力値よりも高い第２の出力値で前記貯湯タンク内の水を加熱させるものである。
【００１４】
本発明の第６の態様は、第２の態様に記載の貯湯式給湯装置であって、前記制御手段は、現在時刻が前記第３時刻以降になった場合において、現在時刻と前記第３時刻との差が所定時間以上でない場合は、前記加熱手段を第１の出力値で前記貯湯タンク内の水を加熱させ、現在時刻と前記第３時刻との差が前記所定時間以上である場合は、前記加熱手段を前記第１の出力値よりも高い第２の出力値で前記貯湯タンク内の水を加熱させるものである。
【発明の効果】
【００１５】
本発明の第１の態様によれば、現在時刻が第２時刻（不足湯量沸上開始時刻）以降になると、加熱手段を動作させて貯湯タンク内の水を加熱して沸き上げを開始するので、第１時刻（湯張り開始時刻または追い焚き開始時刻）おいて湯張りまたは追い焚きに必要な量の残湯量を貯湯タンクに確保でき、湯張りまたは追い焚きの完了の予定時刻までに湯張りまたは追い焚きを完了できる。
【００１６】
本発明の第２の態様によれば、第１時刻から第２時刻の間に発生する可能性のある出湯量を推定して第３時刻を算出し、これに基づいて加熱手段を動作させるので、第１時刻から第２時刻の間に急に大量出湯があった場合でも、第１時刻に湯張りを完了させるにあたり、貯湯タンク内の残湯量が不足する事を防止できる。
【００１７】
本発明の第３の態様によれば、加熱手段の出力値として、その第１の出力値よりも低い第２の出力値を用いて前記第１所要時間を計算するので、加熱手段の第１の出力値（例えば実際の出力値）が想定よりも低い出力値であった場合や、第２時刻の算出後に大量の出湯があった場合でも、第１時刻において湯張りまたは追い焚きに必要な量の残湯量を貯湯タンクに確保でき、湯張りまたは追い焚きの完了の予定時刻までに湯張りまたは追い焚きを完了できる。
【００１８】
本発明の第４の態様によれば、第１時刻（湯張り開始時刻または追い焚き開始時刻）から、不足湯量の沸き上げに要する第１所要時間だけでなく更に予め設定された所定時間遡って第２時刻（不足湯量沸上開始時刻）を計算するので、加熱手段の実際の出力値が想定よりも低い出力値であった場合や、第２時刻の算出後に大量の出湯があった場合でも、第１時刻において湯張りまたは追い焚きに必要な量の残湯量を貯湯タンクに確保でき、湯張りまたは追い焚きの完了の予定時刻までに湯張りまたは追い焚きを完了できる。
【００１９】
本発明の第５の態様によれば、現在時刻と第２時刻（不足湯量沸上開始時刻）との差が所定時間以上あって貯湯タンク内の残湯量の沸き上げが間に合わない場合は、加熱手段の出力値を第２の出力値に上げて貯湯タンク内の水を沸き上げるので、かかる場合でも、第１時刻（湯張り開始時刻または追い焚き開始時刻）において、湯張りまたは追い焚きに必要な量の残湯量を貯湯タンクに確保でき、湯張りまたは追い焚きの完了の予定時刻までに湯張りまたは追い焚きを完了できる。
【００２０】
本発明の第６の態様によれば、現在時刻と第３時刻（第２不足湯量沸上開始時刻）との差が所定時間以上あって貯湯タンク内の残湯量の沸き上げが間に合わない場合は、加熱手段の出力値を第２の出力値に上げて貯湯タンク内の水を沸き上げるので、かかる場合でも、第１時刻（湯張り開始時刻または追い焚き開始時刻）において、湯張りまたは追い焚きに必要な量の残湯量を貯湯タンクに確保でき、湯張りまたは追い焚きの完了の予定時刻までに湯張りまたは追い焚きを完了できる。
【発明を実施するための最良の形態】
【００２１】
＜第１実施形態＞
≪全体構成≫
図１は、第１実施形態に係る貯湯式給湯装置１の構成図であり、図２は、この貯湯式給湯装置１の制御装置の構成図を示したものであり、図３は、この貯湯式給湯装置１の主要な動作のフローチャートである。
【００２２】
貯湯式給湯装置１は、ヒートポンプユニット（加熱手段）３により沸き上げられた湯を貯湯タンク５に貯湯し、その貯湯した湯を、利用者の操作に応じて、浴槽９に出湯し、または浴槽９以外の給湯部（例えば蛇口またはシャワー）７から出湯するものである。
【００２３】
貯湯タンク５は、例えば円筒状に形成されており、例えば３５０Ｌ（Ｌ：リットル）の容量を有している。貯湯タンク５の上部には、缶体上サーミスタ（水温検出手段）Ｔ１が配設されており、貯湯タンク５の側面には、複数の残湯量サーミスタ（水温検出手段）Ｔ２〜Ｔ６が、上下に沿って間隔を空けて配設されている。各サーミスタＴ１〜Ｔ６は、貯湯タンク５内の湯または水（以後、湯水と呼ぶ）の温度を測定するものである。
【００２４】
各サーミスタＴ１〜Ｔ６はそれぞれ、貯湯タンク５の残湯量Ｋ（例えばＫ＝ゼロＬ）、残湯量Ａ（例えばＡ＝５０Ｌ），残湯量Ｂ（例えばＢ＝１００Ｌ），残湯量Ｃ（例えばＣ＝１９０Ｌ），残湯量Ｄ（例えばＤ＝２４０Ｌ），残湯量Ｅ（例えばＥ＝３００Ｌ）に対応する高さ位置に配設されている。尚、貯湯タンク５内は常に湯水で満たされており、湯は貯湯タンク５の上部側から順に貯湯される。
【００２５】
貯湯タンク５の底面には、貯湯タンク５内に給水するための給水口５ａが設けられている。この給水口５ａは、第１給水管ｈ１を介して、水道水が供給される第２給水管ｈ２の分岐点Ｎ１に分岐接続されている。第１給水管ｈ１には、第２給水管ｈ２から流入した水が逆流する事を防止するための逆止弁Ｂ１と、第１給水管ｈ１に流れる水の水温を検出する水温サーミスタ（水温検出手段）Ｔ７とが配設されている。
【００２６】
また貯湯タンク５の底面には、吐出口５ｂが設けられている。この吐出口５ｂは、第１吐出管ｈ３を介して第２吐出管ｈ４に分岐接続されている。各吐出管ｈ３，ｈ４の分岐接続点には、排水用三方弁Ｂ２が配設されている。
【００２７】
尚、第２吐出管ｈ４の一端口は、ＨＰ（ヒートポンプユニット）循環往き口１１に接続されており、また第２吐出管ｈ４の他端口は、排水接続口１３に接続されている。ＨＰ循環往き口１１は、循環配管ｈ５を介してＨＰ循環戻り口１５に接続されており、排水接続口１３は、外部の排水管ｈ６に接続されている。
【００２８】
尚、循環配管ｈ５は、ヒートポンプユニット３内に引き込まれている。ヒートポンプユニット３により循環配管ｈ５が加熱されることで、循環配管ｈ５において、ＨＰ循環往き口１１側から流入する水が沸き上げられてＨＰ循環戻り口１５側へと流出する。
【００２９】
尚、排水用三方弁Ｂ２は、例えば手動操作によりその弁体の開度が調整されることで、第１吐出管ｈ３からの水を、第２吐出管ｈ４におけるＨＰ循環往き口１１側または排水接続口１３側に流出させるものである。この排水用三方弁Ｂ２は、通常時は、第１吐出管ｈ３からの水をＨＰ循環往き口１１側に流出させるように調整されている。
【００３０】
第２吐出管ｈ４には、排水用三方弁Ｂ２とＨＰ循環往き口１１との間において、排水用三方弁Ｂ２からの水をＨＰ循環往き口１１側に送り出すための循環ポンプＰ１が配設されている。
【００３１】
貯湯タンク５の上面には、第１入湯口５ｃが設けられており、貯湯タンク５の底面には、第２入湯口５ｄが設けられている。第１入湯口５ｃは、第１入湯管ｈ７を介してＨＰ循環戻り口１５に接続されており、第２入湯口５ｄは、第２入湯管ｈ９を介して第１入湯管ｈ７に分岐接続されている。各入湯管ｈ７，ｈ９の分岐接続点には、三方弁Ｂ３が設けられている。
【００３２】
尚、三方弁Ｂ３は、電動モータによりその弁体の開度が調整される電動式である。三方弁Ｂ３は、後述の制御装置１５０の制御によりその弁体の開度が調整されることで、第１入湯管ｈ７にＨＰ循環戻り口１５側から流入する湯を、第１入湯管ｈ７を通じて第１入湯口５ｃ側に流出させ、または第２入湯管ｈ９を通じて第２入湯口５ｄ側に流出させるものである。
【００３３】
また貯湯タンク５の上面には、出湯口５ｅが設けられている。この出湯口５ｅは、第１出湯配管ｈ１０を介して給湯混合弁Ｂ４に接続されている。尚、第１出湯配管ｈ１０には、出湯口５ｅ側から流入する湯が逆流する事を防止するための逆止弁Ｂ５が配設されている。
【００３４】
給湯混合弁Ｂ４には、更に、第２給水管ｈ２の一端口が接続されると共に、給湯配管ｈ１１の一端口が接続されている。尚、第２給水管ｈ２の他端口は、給水接続口１７に接続されており、給水接続口１７には、外部からの給水管ｈ２０が接続されている。また給湯配管ｈ１１の他端口は、給湯接続口１９に接続されており、給湯接続口１９には、配管ｈ１２を介して給湯部（例えば蛇口またはシャワー）７が接続されている。
【００３５】
給湯混合弁Ｂ４は、電動モータによりその弁体の開度が調整される電動式である。給湯混合弁Ｂ４は、後述の制御装置１５０の制御によりその弁体の開度が調整されることで、第１出湯配管ｈ１０からの湯と第２給水管ｈ２からの水とを所望の混合比で混合し、その混合した湯を給湯配管ｈ１１を通じて給湯部７に流出させるものである。
【００３６】
尚、第２給水管ｈ２には、例えば、給水接続口１７と分岐点Ｎ１との間において、減圧弁Ｂ７と、逆止弁Ｂ６と、ストレーナＳ１とが配設されている。減圧弁Ｂ７は、給水接続口１７側から流入した水の水圧を所定の水圧（例えば１７０ｋＰａ）に減圧するものである。逆止弁Ｂ６は、給水接続口１７側から流入した水が逆流する事を防止するものである。ストレーナ２０は、給水接続口１７側から流入した水に含まれるゴミを取るものであり、そのメッシュ数は例えば＃６０である。また第２給水管ｈ２には、例えば、給湯混合弁Ｂ４と分岐点Ｎ１との間において、分岐点Ｎ１側から流入した水が逆流する事を防止するための逆止弁Ｂ８が配設されている。
【００３７】
給湯配管ｈ１１には、給湯配管ｈ１１を流れる湯の水量を検出する給湯水量センサ（水量検出手段）Ｗ２と、給湯配管ｈ１１を流れる湯の温度を検出する給湯サーミスタ（水温検出手段）Ｔ９とが配設されている。
【００３８】
貯湯タンク５の上面には、第２出湯口５ｆが設けられている。この第２出湯口５ｆは、第２出湯配管ｈ１４を介して湯張り混合弁Ｂ１１に接続されている。尚、第２出湯配管ｈ１４には、貯湯タンク５からの湯が逆流する事を防止するための逆止弁Ｂ１０が配設されている。
【００３９】
湯張り混合弁Ｂ１１には、更に、第３給水管ｈ１５の一端口が接続されると共に、第３出湯配管ｈ１６の一端口が接続されている。尚、第３給水管ｈ１５の他端口は、第２給水管ｈ２の分岐点Ｎ４に接続されている。分岐点Ｎ４は、例えば、第２給水管ｈ２における逆止弁Ｂ８と分岐点Ｎ１との間に位置している。また第３出湯配管ｈ１６の他端口は、風呂循環往き口２３に接続されており、風呂循環往き口２３には、配管ｈ１７を介して浴槽９が配設されている。
【００４０】
湯張り混合弁Ｂ１１は、電動モータによりその弁体の開度が調整される電動式である。湯張り混合弁Ｂ１１は、後述の制御装置１５０の制御によりその弁体の開度が調整されることで、第２出湯配管ｈ１４からの湯と第３給水管ｈ１５からの水とを所望の混合比で混合して、その混合した湯を、第３出湯配管ｈ１６を通じて浴槽９側に流出させるものである。
【００４１】
また第３出湯配管ｈ１６には、複合水弁２５が配設されている。複合水弁２５は、湯張り電磁弁Ｂ１２と、湯張り水量センサ（水量検出手段）Ｗ１と、逆止弁Ｂ１３，Ｂ１４と、排水弁Ｂ１６とを備えている。それら各要素Ｂ１２，Ｂ１３，Ｗ１，Ｂ１４は、湯張り混合弁Ｂ１１側からその順に第３出湯配管ｈ１６に配設されている。
【００４２】
尚、湯張り電磁弁Ｂ１２は、電動モータによりその弁体の開度が調整される電動式である。湯張り電磁弁Ｂ１２は、後述の制御装置１５０の制御によりその弁体の開度が調整されることで、第３出湯配管ｈ１６を流れる湯の水量を調整するものである。また湯張り水量センサＷ１は、第３出湯配管ｈ１６を流れる湯の水量を検出するものである。また各逆止弁Ｂ１３，Ｂ１４は、第３出湯配管ｈ１６を流れる湯が湯張り混合弁Ｂ１１側に逆流する事または浴槽９からの湯が混合弁Ｂ１１側に逆流する事を防止するものである。
【００４３】
第３出湯配管ｈ１６の分岐点Ｎ５には、外部に引き出された第４排水管ｈ２７の一端口が接続されており、排水弁Ｂ１６は、その第４排水管ｈ２７に配設されている。尚、分岐点Ｎ５は、例えば、逆止弁Ｂ１３と湯張り水量センサＷ１との間に位置している。
【００４４】
排水弁Ｂ１６は、その弁体が開成することで、第３出湯配管ｈ１６に貯まった湯水を第４排水管ｈ２７から外部に排出するものである。この排水弁Ｂ１６は、例えば、手動式に構成されて手動により、または電動式に構成されて後述の制御装置１５０の制御により、その弁体の開度が調整される様になっている。
【００４５】
また貯湯タンク５の底面には、追焚循環戻り口５ｇが設けられている。この追焚循環戻り口５ｇには、第１追焚循環配管ｈ２１の一端口が接続されている。第１追焚循環配管ｈ２１の他端口は、第２出湯配管ｈ１４の分岐点Ｎ８に接続されている。尚、分岐点Ｎ８は、第２出湯配管ｈ１４における逆止弁Ｂ１０と湯張り混合弁Ｂ１１の間に位置している。
【００４６】
また第１追焚循環配管ｈ２１の一部分は、追焚熱交換器２５内に取り込まれている。
【００４７】
また第１追焚循環配管ｈ２１の分岐点Ｎ１０は、第２出湯配管ｈ１４の分岐点Ｎ９に配管ｈ２２を介して接続されている。分岐点Ｎ９は、第２出湯配管ｈ１４における第２出湯口５ｆと逆止弁Ｂ１０との間に位置しており、分岐点Ｎ１０は、分岐点Ｎ８と追焚熱交換器２５との間に位置している。
【００４８】
また第２出湯配管ｈ１４の分岐点Ｎ８には、外部に引き出された第３排水管ｈ１３の一端口が接続されている。第３排水管ｈ１３には、負圧作動弁付き逃し弁Ｂ９が配設されている。負圧作動弁付き逃し弁Ｂ９は、貯湯タンク５内の水圧が所定の水圧（例えば１９０ｋＰａ）以上の場合は、その弁体を開成して、貯湯タンク５内の湯水を、各部５ｆ→Ｎ９→Ｂ１０→Ｎ８→ｈ１３→Ｎ１２→Ｂ９の経路を経て外部に排水し、他方、貯湯タンク５内の水圧が前記所定の水圧未満の場合は、その弁体を閉塞して、貯湯タンク５内の湯水が、上記の経路を経て外部に排水される事を禁止するものである。
【００４９】
また第２出湯配管ｈ１４の分岐点Ｎ９と第３排水管ｈ１３の分岐点Ｎ１２とは、配管ｈ２３を介して接続されており、配管ｈ２３には、分岐点Ｎ１２から分岐点Ｎ９に流れる湯が逆流する事を防止する逆止弁Ｂ１７が配設されている。尚、分岐点Ｎ１２は、第３排水管ｈ１３における分岐点Ｎ８と逃がし弁Ｂ９との間に位置している。
【００５０】
また第１追焚循環配管ｈ２１には、それに流れる湯を貯湯タンク５の追焚循環戻り口５ｇ側に循環させるための熱交換循環ポンプＰ３が配設されている。ここでは、循環ポンプＰ３は、例えば、第１追焚循環配管ｈ２１における追焚熱交換器２５と追焚循環戻り口５ｇとの間に配設されている。
【００５１】
第１追焚循環配管ｈ２１の分岐点Ｎ１３には、外部に引き出された第４排水管ｈ２４の一端口が接続されており、第４排水管ｈ２４には、第１追焚循環配管ｈ２１中に貯まった水を排水するための水抜き栓Ｂ１８が配設されている。水抜き栓Ｂ１８は、例えば手動式のものが用いられている。
【００５２】
第３出湯配管ｈ１６の分岐点Ｎ１４には、第２追焚循環配管ｈ２５の一端口が接続されている。第２追焚循環配管ｈ２５の他端口は、風呂循環戻り口２７に接続されており、風呂循環戻り口２７には、配管ｈ２６を介して浴槽９に接続されている。
【００５３】
第２追焚循環配管ｈ２５の一部分は、追焚熱交換器２５内に引き込まれており、第１追焚循環配管ｈ２１との間で熱交換可能になっている。
【００５４】
第２追焚循環配管ｈ２５には、風呂循環ポンプＰ４と、風呂サーミスタ（水温検出手段）Ｔ１０と、水流スイッチＳＷ１と、水位センサＹとが配設されている。
【００５５】
風呂循環ポンプＰ４は、浴槽９内の湯水を風呂循環戻り口２７から取り込んで第２追焚循環配管ｈ２５および第３出湯配管ｈ１６を循環させて風呂循環往き口２３から浴槽９内に戻すためのものである。風呂サーミスタＴ１０は、第２追焚循環配管ｈ２５を流れる湯水の温度を検出するものである。水流スイッチＳＷ１は、第２追焚循環配管ｈ２５内を湯水が一定値以上の水流で循環しているか否かを検出するものであり、例えば、一定値以上の水流を検出するとオンし、一定値以上の水流を検出しない場合はオフになる。水位センサＹは、浴槽９内の水位が浴槽９の追焚用吸水口９ａよりも高いか否かを検出するものであり、例えば、所定水圧以上の水圧を検出すると、浴槽９内の水位が追焚用吸水口よりも高い事を検出するものである。これら各要素Ｐ４，Ｔ１０，ＳＷ１，Ｙは、例えば、第２追焚循環配管ｈ２５における追焚熱交換器２５と風呂循環戻り口２７との間に配設されている。
【００５６】
またこの貯湯式給湯装置１は、図２の様に、制御装置１５０と、リモコン装置（設定入力手段）１６０とを備えている。制御装置１５０は、各サーミスタＴ１〜Ｔ１０および各水量センサＷ１，Ｗ２の検出結果に基づき、各弁Ｂ３，Ｂ４，Ｂ１１，Ｂ１２、ヒートポンプユニット３および各循環ポンプＰ１，Ｐ３，Ｐ４を制御するものである。またリモコン装置１６０は、利用者の操作を受け付けるものである。
【００５７】
制御装置１５０は、残湯量検出部（残湯量検出手段）１５０ａと、監視部（監視手段）１５０ｂと、沸上開始時刻算出部（沸上時刻算出手段）１５０ｃと、開始時刻設定部（開始時刻設定手段）１５０ｄと、制御部（制御手段）１５０ｅとを備えている。
【００５８】
残湯量検出部１５０ａは、貯湯タンク５内の残湯量を検出するものであり、各サーミスタＴ１〜Ｔ６の検出結果に基づき、貯湯タンク５内の残湯と水との境界面のおおよその位置を検出し、その位置に基づき貯湯タンク５内の残湯量を検出する。例えば、残湯量検出部１５０ａは、各サーミスタＴ１〜Ｔ３の検出温度が例えば７５℃の高温で、サーミスタＴ４〜Ｔ６の検出温度が例えば２０℃の低温である場合は、貯湯タンク５内の湯と水の境界面はおおよそサーミスタＴ３の高さ位置にあると判断し、貯湯タンク５内の残湯量は、サーミスタＴ３の高さ位置に対応する残湯量Ｂであると検出する。
【００５９】
開始時刻設定部１５０ｄは、リモコン装置１６０に対して浴槽９に対する湯張りまたは追い焚きの完了を予定する予定時刻が設定入力されると、湯張りまたは追い焚きに要する所要時間を計算し、上記の予定時刻からその計算した所要時間遡った時刻を、湯張り開始時刻または追い焚き開始時刻（第１時刻）として設定する。
【００６０】
尚、上記の追い焚きには、浴槽９に張られた水を湯張り設定温度まで沸き上げるほか、浴槽９内に湯が張られている場合は、その湯を湯張り設定温度に維持するふろ保温機能も含まれるものとする。
【００６１】
監視部１５０ｂは、上記の予定時刻が設定入力されると、貯湯タンク５内の残湯量として、浴槽９に対する湯張りまたは追い焚きに必要な量（以後、所定量と呼ぶ）を計算する。例えば、湯張りの完了に必要な所定量としては、上記の所定量が浴槽９の容量に応じて予め設定されている場合は、その設定値（例えば湯張りまたは追い焚きに必要な量とシャワー１回分（３０分）とを合わせた湯量）を用いる。またはリモコン装置１６０に湯張りの湯量が設定入力された場合は、その設定湯量を用いる。また追い焚きの完了に必要な所定量としては、リモコン装置１６０に設定入力された追い焚きの温度と浴槽９内の湯水の温度との温度差と、浴槽９内の湯水の量とに基づき、追い焚きの完了に必要な熱量を計算し、その熱量から上記の所定量を計算する。そして監視部１５０ｂは、残湯量検出部１５０ａの検出結果に基づき、貯湯タンク５内の残湯量が上記の所定量未満であるか否かの判定を行う。
【００６２】
沸上開始時刻算出部１５０ｃは、監視部１５０ｂにより貯湯タンク５内の残湯量が上記の所定量未満であると判定された場合は、貯湯タンク５内の残湯量の上記の所定量に対する不足湯量を沸き上げるのに要する所要時間（第１所要時間）を算出し、上記の湯張り開始時刻または追い焚き開始時刻からその計算した所要時間遡った時刻（第２時刻）を、不足湯量沸上開始時刻として設定する。
【００６３】
尚、上記の所要時間（第１所要時間）は、例えば、不足湯量（単位：グラム）×沸上温度とタンク５内の水の温度との差（単位：℃）×水の比熱（単位：カロリー／（グラム・℃））÷ヒートポンプユニット３の出力値（例えば実際の出力値、単位：ワット）の演算式で求める事ができる。
【００６４】
制御部１５０ｅは、上記の沸上開始時刻と現在時刻とを比較する。そしてその比較の結果、現在時刻が上記の沸上開始時刻以降である場合は、制御部１５０ｅは、ヒートポンプユニット３を動作させて貯湯タンク５内の水を沸き上げさせ、他方、その比較の結果、現在時刻が上記の沸上開始時刻以降でない場合は、制御部１５０ｅは、貯湯タンク５内の水を加熱させない。尚、制御部１５０ｅは、残湯量検出部１５０ａの検出残湯量が予め設定された停止残湯量以上になると、ヒートポンプユニット３を停止させる。
【００６５】
そして制御部１５０ｅは、現在時刻と上記の湯張り開始時刻との比較を行い、その比較の結果、現在時刻が上記の湯張り開始時刻以降になると、各弁Ｂ１１，Ｂ１２を制御して浴槽９への湯張りを開始する。そして制御部１５０ｅは、浴槽９の湯量が予め設定された量（例えばリモコン装置１６０に設定入力された量）になると、各弁Ｂ１１，Ｂ１２を制御して浴槽９への湯張りを終了する。また制御部１５０ｅは、現在時刻と上記の追い焚き開始時刻との比較を行い、その比較の結果、現在時刻が上記の追い焚き開始時刻以降になると、各循環ポンプＰ３，Ｐ４を動作させて浴槽９内の湯水の追い焚きを開始する。そして制御部１５０ｅは、浴槽９の湯の温度が所定温度（例えばリモコン１６０に設定入力した温度）になると、各循環ポンプＰ３，Ｐ４を停止して追い焚きを終了する。
【００６６】
また制御部１５０ｅは、例えばリモコン装置１６０への入力操作に基づきヒートポンプユニット３および循環ポンプＰ１を起動すると共に三方弁Ｂ３を制御して、貯湯タンク５内の水の沸き上げを行う。また制御部１５０ｅは、リモコン装置１６０への入力操作に基づき、給湯混合弁Ｂ４を制御して給湯部７から出湯する湯の温度を調整する。また制御部１５０ｄは、リモコン装置１６０への入力操作に基づき、湯張り混合弁Ｂ１１を制御して浴槽９に出湯する湯の温度を調整すると共に、湯張り電磁弁Ｂ１２を制御して浴槽９への出湯を制御する。
【００６７】
≪基本動作≫
この貯湯式給湯装置１では、外部の給水管ｈ２０中の水がその水圧により各部ｈ２→Ｎ１→ｈ１→Ｂ１→５ａを通じて貯湯タンク５に供給されて、貯湯タンク５は常に満水状態に保たれる。
【００６８】
そして貯湯タンク５内の水を沸き上げる場合は、制御部１５０ｅの制御により、三方弁Ｂ３がまず第２入湯口５ｄ側に全開され（即ち第１入湯口５ｃ側は全閉され）、且つヒートポンプユニット３およびポンプＰ１が起動される。このポンプＰ１の起動により、貯湯タンク５内の水は、各部５ｂ→Ｂ２→Ｐ１→１１→ｈ５→１５→Ｂ３→５ｄの経路を経て流れる。またこのヒートポンプユニット３の起動により、循環配管ｈ５がヒートポンプユニット３により加熱され、循環配管ｈ５を流れる水が沸き上げられ、その沸き上げられた水は、第２入湯口５ｄから貯湯タンク５の下部に戻される。
【００６９】
そして一定時間経過して、ヒートポンプユニット３による加熱により所定の高温（例えば７５℃）の湯が沸き上がると、制御部１５０ｅの制御により、三方弁Ｂ３が第１入湯口５ｃ側に全開される（即ち第２入湯口５ｄ側は全閉される）。これにより、貯湯タンク５内の水は、各部５ｂ→Ｂ２→Ｐ１→１１→ｈ５→１５→Ｂ３→５ｃの経路を経て流れ、その経路の途中で加熱されて、第１入湯口５ｃから貯湯タンクの上部に戻される。この状態が継続されることで、貯湯タンク５内の水は、ヒートポンプユニット３により所定の高温に沸き上げられて、貯湯タンク５の上部から貯湯されて行く。
【００７０】
その際、残湯量検出部１５０ａは、貯湯タンク５に配設された各サーミスタＴ１〜Ｔ６の検出結果基づき、貯湯タンク５内の残湯量を検出している。そして貯湯タンク５内の残湯量が所定量（例えば後述の所定量）に達すると、制御部１５０ｅは、ヒートポンプユニット３およびポンプＰ１を停止して、貯湯タンク５内の水の沸き上げを停止する。
【００７１】
また給湯部７から所望の給湯温度の湯を出湯する場合は、まず利用者によりモコン装置１６０に所望の給湯温度の設定が入力される。そして利用者により給湯部７が開操作されると、貯湯タンク５内の湯が第１出湯配管ｈ１０を通じて給湯混合弁Ｂ４に流入すると共に第２給水管ｈ２からの水が給湯混合弁Ｂ４に流入して、給湯混合弁Ｂ４において、それら湯および水が所定の混合比で混合されて給湯配管ｈ１１を通じて給湯部７から出湯される。その際、給湯サーミスタＴ９により給湯配管ｈ１１に流れる湯の温度が検出され、その検出温度が上記の所望の給湯温度になる様に、制御部１５０ｅにより給湯混合弁Ｂ４の弁体の開度が制御され、給湯部７から出湯される湯の温度が上記の所望の給湯温度に調整される。
【００７２】
また浴槽９に湯張りを行う場合は、まず利用者によりモコン装置１６０に所望の湯張り温度および所望の湯張り湯量が設定される。そして利用者によりリモコン装置１６０に湯張り開始の操作が入力されると、制御部１５０ｅにより湯張り電磁弁Ｂ１２の弁体が開成される。これにより貯湯タンク５内の湯が各部５ｆ→Ｎ９→Ｂ１０→Ｎ８を通じて湯張り混合弁Ｂ１１に流入すると共に第２給水管ｈ２からの水が各部ｈ２→Ｎ４を通じて湯張り混合弁１１に流入して、湯張り混合弁１１において、それら湯と水とが所定の混合比で混合されて第３出湯配管ｈ１６を通じて浴槽９に出湯される。その際、給湯サーミスタＴ８により第３出湯配管ｈ１６に流れる湯の温度が検出され、その検出温度が上記の所望の湯張り温度になる様に、制御部１５０ｅにより湯張り電磁弁Ｂ１１の弁体の開度が制御され、浴槽９に出湯される湯の温度が上記の所望の湯張り温度に調整される。尚、その際、ポンプＰ３は停止しているので、貯湯タンク５内の湯が第１追焚循環配管ｈ２１を流れて貯湯タンク５の追焚循環戻り口５ｇに戻る循環が発生すると、湯張り混合弁Ｂ１１に流入する湯量が変化して湯張り開始時刻の制度が悪化するため、これを防ぐべくポンプＰ３を停止する事が望ましい。
【００７３】
そして制御部１５０ｅにより、湯張り水量センサＷ１の検出結果に基づき、浴槽９に上記の所望の湯張り湯量の湯が出湯された事が検知されると、湯張り電磁弁Ｂ１２の弁体が閉塞されて、浴槽９への湯張りが終了する。尚、リモコン装置１６０に湯張りの完了を予定する時刻が設定入力された場合は、後述の様に、その予定時刻に湯張りが完了する様に湯張り開始時刻が計算されて湯張りが行われる。
【００７４】
また浴槽９内の湯水の追い焚きを行う場合は、リモコン装置１６０に入力された追焚開始の指示に応じて、制御部１５０ｅの制御により、各循環ポンプＰ３，Ｐ４が起動される。これにより、貯湯タンク５内の湯は、各部５→５ｆ→Ｎ９→Ｂ１０→Ｎ８→Ｎ１０または各部５→５ｆ→Ｎ９→ｈ２２→Ｎ１０を経て、更に各部Ｎ１０→２５→Ｎ１３→Ｐ３→５ｇ→５を経て追焚用熱交換器２５と貯湯タンク５との間を循環する。そして浴槽９内の湯水は、各部９→ｈ２６→２７→Ｙ→ＳＷ１→Ｔ１０→Ｐ４→２５→Ｎ１４→２３→ｈ１７→９を経て追焚熱交換器２５と浴槽９との間を循環する。そして追焚用熱交換器２５内で、貯湯タンク５からの湯と浴槽９からの湯水との間で熱交換が行われて、浴槽９内の湯水が追い焚きされる。そして制御部１５０ｅにより、風呂サーミスタＴ１０の検出温度に基づき、浴槽９からの湯水の温度がリモコン装置１６０に予め設定された追焚温度になった事が検知されると、制御部１５０ｅの制御により、各循環ポンプＰ３，Ｐ４が停止されて追い焚きが終了する。
【００７５】
尚、熱交換器２５で熱交換された貯湯タンク５からの湯は、水として追焚循環戻り口５ｇから貯湯タンク５に戻されるので、追い炊きにより第２出湯口５ｆから出湯した湯量の分だけ貯湯タンク５内の残湯量は減少する。
【００７６】
尚、リモコン装置１６０に追い焚きの完了を予定する時刻が設定入力された場合は、後述の様に、その予定時刻に追い焚きが完了する様に追い焚き開始時刻が計算されて追い焚きが行われる。
【００７７】
≪浴槽９に対する湯張りまたは追い焚きの完了予定時刻が設定された場合の動作≫
図３は、浴槽９に対する湯張りまたは追い焚きの完了予定時刻が設定された場合の動作を説明するフローチャートである。以下では、説明便宜上、浴槽９に対する湯張りの完了予定時刻が設定された場合で動作を説明する。
【００７８】
ステップＳ１で、リモコン装置１６０に対して湯張りの完了の予定時刻ｔ１が設定入力されると、ステップＳ２で、開始時刻設定部１５０ｄにより、湯張りに要する所要時間Δｔ１が計算され、上記の予定時刻ｔ１から所要時間Δｔ１遡った時刻ｔ２（＝ｔ１−Δｔ１）が湯張り開始時刻として設定される。
【００７９】
そしてステップＳ３で、監視部１５０ｂにより、貯湯タンク５内の残湯量として、浴槽９に対する湯張りに必要な量（以後、所定量と呼ぶ）が計算され、残湯量検出部１５０ａの検出結果に基づき貯湯タンク５内の残湯量が上記の所定量未満であるか否かの判定が行われる。
【００８０】
そしてステップＳ３で、貯湯タンク５内の残湯量が上記の所定量未満であると判定されると、ステップＳ４で、沸上開始時刻算出部１５０ｃにより、貯湯タンク５内の残湯量の上記の所定量に対する不足湯量を沸き上げるのに要する所要時間Δｔ２が算出され、上記の湯張り開始時刻ｔ２から所要時間Δｔ２遡った時刻ｔ３（＝ｔ２−Δｔ２）が、不足湯量沸上開始時刻として設定される。
【００８１】
そしてステップＳ５で、制御部１５０ｅにより、現在時刻と不足湯量沸上開始時刻ｔ３との比較が行われ、その比較の結果、現在時刻が不足湯量沸上開始時刻ｔ３以降である場合は、ステップＳ６で、制御部１５０ｅにより、ヒートポンプユニット３および循環ポンプＰ１が動作されると共に三方弁Ｂ３が制御されて、貯湯タンク５内の水が沸き上げられて、貯湯タンク５内の残湯量が上記の所定量以上にされる。そしてステップＳ３に戻る。尚、貯湯タンク５内の残湯量が停止残湯量以上になると、制御部１５０ｅにより、ヒートポンプユニット３および循環ポンプＰ１が停止されて、貯湯タンク５内の水の沸き上げは停止される。
【００８２】
他方、ステップＳ５の判定の結果、現在時刻が不足湯量沸上開始時刻ｔ３以降でない場合は、ステップＳ３に戻る。現在時刻から不足湯量沸上開始時刻ｔ３までの間に湯が消費される場合があり、残湯量についての判断を再度行うためである。
【００８３】
そしてステップＳ３の判定の結果、貯湯タンク５内の残湯量が上記の所定量未満でない場合は、ステップＳ７に進み、制御部１５０ｄにより、現在時刻と湯張り開始時刻ｔ２との比較が行われ、その比較の結果、現在時刻が湯張り開始時刻ｔ２以降である場合は、制御部１５０ｄにより、浴槽９への湯張りが行われる。即ち制御部１５０ｄにより各弁Ｂ１１，Ｂ１２が制御されて、貯湯タンク５内の湯が上記の≪基本動作≫の様にして浴槽９に出湯される。そして浴槽９に所定量（例えばリモコン装置１６０に設定入力された湯張り湯量）の湯が張られると、制御部１５０ｄにより湯張りが終了される。
【００８４】
尚、この動作説明では湯張りの場合で説明したが、追い焚きの場合も、湯張りの場合と同様の処理の流れで考えればよい。
【００８５】
以上の様に構成された貯湯式給湯装置１によれば、現在時刻が不足湯量沸上開始時刻（第２時刻）以降になると、ヒートポンプユニット（加熱手段）３を動作させて貯湯タンク５内の水を加熱して沸き上げを開始するので、湯張り開始時刻または追い焚き開始時刻（第１時刻）おいて湯張りまたは追い焚きに必要な量の残湯量を貯湯タンク５に確保でき、湯張りまたは追い焚きの完了の予定時刻までに湯張りまたは追い焚きを完了できる。
【００８６】
尚、この実施形態では、湯張り開始時刻ｔ２から湯張り完了予定時刻ｔ１までの間に大量出湯が発生する可能性があるが、特許文献１で出湯が懸念される予定時刻から湯張り完了予定時刻までの間の長さに比べると短いので、大量出湯が発生する確率は低い。
【００８７】
＜第２実施形態＞
この実施形態に係る貯湯式給湯装置は、第１実施形態において、沸上開始時刻算出部１５０ｃでの所要時間（即ち、貯湯タンク５内の残湯量の上記の所定量に対する不足湯量を沸き上げるのに要する所要時間）の算出で使用するヒートポンプユニット３の出力値として、その実際の出力値（第１の出力値）よりも低い出力値（例えば実際の出力値の９０％：第２の出力値）を用いる様にしたものである。
【００８８】
以上の様に構成された貯湯式給湯装置によれば、ヒートポンプユニット（加熱手段）３の出力値として、その実際の出力値（第１の出力値）よりも低い出力値（第２の出力値）を用いて所要時間を計算するので、ヒートポンプユニット３の実際の出力値が想定よりも低い出力値であった場合や、不足湯量沸上開始時刻（第２時刻）の算出後に大量の出湯があった場合でも、湯張り開始時刻または追い焚き開始時刻（第１時刻）において湯張りまたは追い焚きに必要な量の残湯量を貯湯タンク５に確保でき、湯張りまたは追い焚きの完了の予定時刻までに湯張りまたは追い焚きを完了できる。
【００８９】
＜第３実施形態＞
この実施形態に係る貯湯式給湯装置は、第１実施形態において、沸上開始時刻算出部１５０ｃでの不足湯量沸上開始時刻（第２時刻）の算出に際して、湯張り開始時刻または追い焚き開始時刻（第１時刻）から、上記の所要時間（即ち、貯湯タンク５内の残湯量の上記の所定量に対する不足湯量を沸き上げるのに要する所要時間）と更に予め設定された所定時間とを遡って、不足湯量沸上開始時刻を算出する様にしたものである。
【００９０】
尚、上記の所定時間としては、予め固定値として設定しても良く、または不足湯量に応じて、または予定時刻および不足湯量沸上開始時刻が設定される時間帯に応じて、または予定時刻と不足湯量沸上開始時刻との間の時間長に応じて、異なる時間を採用する様にしても良い。
【００９１】
以上の様に構成された貯湯式給湯装置によれば、湯張り開始時刻または追い焚き開始時刻（第１時刻）から、不足湯量の沸き上げに要する所要時間だけでなく更に予め設定された所定時間遡って不足湯量沸上開始時刻（第２時刻）を計算するので、ヒートポンプユニット（加熱手段）３の実際の出力値が想定よりも低い出力値であった場合や、第２時刻の算出後に大量の出湯があった場合でも、第１時刻において湯張りまたは追い焚きに必要な量の残湯量を貯湯タンク５に確保でき、湯張りまたは追い焚きの完了の予定時刻までに湯張りまたは追い焚きを完了できる。
【００９２】
＜第４実施形態＞
この実施形態に係る貯湯式給湯装置は、第１実施形態において、不足湯量沸上開始時刻と湯張り開始時刻または追い焚き開始時刻との間で発生する可能性のある出湯量を考慮して不足湯量沸上開始時刻を修正する様にしたものである。
【００９３】
図４は、この実施形態に係る貯湯式給湯装置の制御装置１５０の構成概略図である。この実施形態の制御装置１５０は、第１実施形態において更に、推定部（推定手段）１５０ｆと、時刻間出湯量算出部（時刻間出湯量算出手段）１５０ｇとを備えている。
【００９４】
推定部１５０ｆは、残湯量検出部１５０ａの検出結果に基づき１日における一定時刻毎の出湯量を推定する。より詳細には、推定部１５０ｆは、残湯量検出部１５０ａの検出結果に基づき、例えば、１日における一定時刻毎（例えば零時から１時間毎）の出湯量の平均値を算出し、その算出結果を１日における一定時刻毎の出湯量とする。
【００９５】
時刻間出湯量算出部１５０ｇは、沸上開始時刻算出部１５０ｃにより不足湯量沸上開始時刻が算出されると、その不足湯量沸上開始時刻と湯張り開始時刻または追い焚き開始時刻との間の時間に発生する可能性のある出湯量（時刻間出湯量）を算出する。
【００９６】
そしてこの実施形態の沸上開始時刻算出部１５０ｃは、第１実施形態において更に、算出した不足湯量に、時刻間出湯量算出部１５０ｇにより算出された上記の時刻間出湯量を加えた湯量を沸き上げるのに要する所要時刻（第２所要時間）を算出し、湯張り開始時刻または追い焚き開始時刻（第１時刻）からその計算した所要時間遡った時刻を、第２不足湯量沸上開始時刻として設定する。
【００９７】
そしてこの実施形態の制御部１５０ｅは、現在時刻と上記の第２不足湯量沸上開始時刻との比較を行い、その比較の結果、現在時刻が上記の第２不足湯量沸上開始時刻以降である場合は、ヒートポンプユニット３を動作させて貯湯タンク３内の水を加熱させ、他方、その比較の結果、現在時刻が上記の第２不足湯量沸上開始時刻以降でない場合は、貯湯タンク３内の水を加熱させない。
【００９８】
次に図５に基づき、この実施形態の貯湯式給湯装置での浴槽９に対する湯張りまたは追い焚きの完了予定時刻が設定された場合の動作を説明する。以下では、説明便宜上、浴槽９に対する湯張りの完了予定時刻が設定された場合で動作を説明する。
【００９９】
ステップＳ１で、リモコン装置１６０に対して湯張りの完了の予定時刻ｔ１が設定入力されると、ステップＳ２で、開始時刻設定部１５０ｄにより、湯張りに要する所要時間Δｔ１が計算され、上記の予定時刻ｔ１から所要時間Δｔ１遡った時刻ｔ２（＝ｔ１−Δｔ１）が湯張り開始時刻として設定される。
【０１００】
そしてステップＳ３で、監視部１５０ｂにより、貯湯タンク５内の残湯量として、浴槽９に対する湯張りに必要な量（以後、所定量と呼ぶ）が計算され、残湯量検出部１５０ａの検出結果に基づき貯湯タンク５内の残湯量が上記の所定量未満であるか否かの判定が行われる。
【０１０１】
そしてステップＳ３で、貯湯タンク５内の残湯量が上記の所定量未満であると判定されると、ステップＳ４で、沸上開始時刻算出部１５０ｃにより、貯湯タンク５内の残湯量の上記の所定量に対する不足湯量を沸き上げるのに要する所要時間Δｔ２が算出され、上記の湯張り開始時刻ｔ２から所要時間Δｔ２遡った時刻ｔ３（＝ｔ２−Δｔ２）が、不足湯量沸上開始時刻として設定される。
【０１０２】
そしてステップＳ９で、時刻間出湯量算出部１５０ｇにより、推定部１５０ｆにより予め推定された１日における一定時刻毎の出湯量に基づき、湯張り開始時刻ｔ２と不足湯量沸上開始時刻ｔ３との間の時間に発生する可能性のある出湯量（時刻間出湯量）が算出される。
【０１０３】
そしてステップＳ１０で、沸上開始時刻算出部１５０ｃにより、ステップＳ３で算出された不足湯量に、ステップＳ９で算出された上記の時刻間出湯量を加えた湯量を沸き上げるのに要する所要時刻Δｔ４が算出され、湯張り開始時刻ｔ２から所要時間Δｔ４遡った時刻が、第２不足湯量沸上開始時刻ｔ４として設定される。
【０１０４】
そしてステップＳ１１で、制御部１５０ｅにより、現在時刻と第２不足湯量沸上開始時刻ｔ４との比較が行われ、その比較の結果、現在時刻が第２不足湯量沸上開始時刻ｔ４以降である場合は、制御部１５０ｅにより、ヒートポンプユニット３および循環ポンプＰ１が動作されると共に三方弁Ｂ３が制御されて、貯湯タンク５内の水が沸き上げられて、貯湯タンク５内の残湯量が上記の所定量以上にされる。そしてステップＳ３に戻る。尚、貯湯タンク５内の残湯量が停止残湯量以上になると、制御部１５０ｅにより、ヒートポンプユニット３および循環ポンプＰ１が停止されて、貯湯タンク５内の水の沸き上げは停止される。
【０１０５】
他方、ステップＳ１１の判定の結果、現在時刻が第２不足湯量沸上開始時刻ｔ４以降でない場合は、ステップＳ３に戻る。
【０１０６】
そしてステップＳ３の判定の結果、貯湯タンク５内の残湯量が上記の所定量未満でない場合は、ステップＳ７に進み、制御部１５０ｄにより、現在時刻と湯張り開始時刻ｔ２との比較が行われ、その比較の結果、現在時刻が湯張り開始時刻ｔ２以降である場合は、制御部１５０ｄにより、浴槽９への湯張りが行われる。即ち制御部１５０ｄにより、各弁Ｂ１１，Ｂ１２が制御されて、貯湯タンク５内の湯が上記の≪基本動作≫の様にして浴槽９に出湯される。そして浴槽９に所定量（例えばリモコン装置１６０に設定入力された湯張り湯量）の湯が張られると、制御部１５０ｄにより湯張りが終了される。
【０１０７】
尚、この動作説明では湯張りの場合で説明したが、追い焚きの場合も、湯張りの場合と同様の処理の流れで考えればよい。
【０１０８】
以上の様に構成された貯湯式給湯装置によれば、湯張り開始時刻または追い焚き開始時刻（第１時刻）から不足湯量沸上開始時刻（第２時刻）の間において発生する可能性のある出湯量を推定し、その出湯量を考慮して第２不足湯量沸上開始時刻（第３時刻）を算出し、その時刻に基づきヒートポンプユニット（加熱手段）３を動作させるので、第１時刻から第２時刻の間において急に大量出湯があった場合でも、第１時刻において湯張りまたは追い焚きに必要な量の残湯量を貯湯タンク５に確保でき、湯張りまたは追い焚きの完了の予定時刻までに湯張りまたは追い焚きを完了できる。
【０１０９】
＜第５実施形態＞
この実施形態に係る貯湯式給湯装置は、第１実施形態において、制御部１５０ｅの動作を下記の様に変更したものである。
【０１１０】
即ちこの実施形態の制御部１５０ｅは、第１実施形態と同様に現在時刻と不足湯量沸上開始時刻との比較を行い、その判定の結果、現在時刻が不足湯量沸上開始時刻以降である場合は、更に、現在時刻と不足湯量沸上開始時刻との差が所定時間以上であるか否かの判定を行う。そしてその判定の結果、現在時刻と不足湯量沸上開始時刻との差が所定時間以上でない場合は、ヒートポンプユニット３の出力値を第１の出力値にして貯湯タンク５内の水を加熱させ、他方、その判定の結果、現在時刻と不足湯量沸上開始時刻との差が前記所定時間以上である場合は、ヒートポンプユニット３の出力値を第１の出力値よりも高い第２の出力値にして貯湯タンク５内の水を加熱させる。
【０１１１】
上記の所定時間としては、特に限定されないが例えば数１０分を採用しても良い。また上記の第２の出力値としては、例えばヒートポンプユニット３の最高出力値を採用してもよく、上記の第１の出力値としては、例えばヒートポンプユニット３の最高出力値よりも低い出力値（例えば最高出力値の８０％から９０％程度の出力値）を採用しても良い。
【０１１２】
以上の様に構成された貯湯式給湯装置によれば、現在時刻と不足湯量沸上開始時刻（第２時刻）との差が所定時間以上あって貯湯タンク５内の残湯量の沸き上げが間に合わない場合（例えば大幅に間に合わない場合）は、ヒートポンプユニット（加熱手段）３の出力値を第２の出力値に上げて貯湯タンク５内の水を沸き上げるので、かかる場合でも、湯張り開始時刻または追い焚き開始時刻（第１時刻）において、湯張りまたは追い焚きに必要な量の残湯量を貯湯タンク５に確保でき、湯張りまたは追い焚きの完了の予定時刻までに湯張りまたは追い焚きを完了できる。
【０１１３】
尚、第２，第３および第５実施形態は、第１実施形態に適用する場合で説明したが、第４実施形態に適用しても構わない。
【０１１４】
特に第５実施形態を第４実施形態に適用する場合は、制御部１５０ｅは、現在時刻と第２不足湯量沸上開始時刻との比較を行い、その判定の結果、現在時刻が第２不足湯量沸上開始時刻以降である場合は、更に、現在時刻と不足湯量沸上開始時刻との差が所定時間以上であるか否かの判定を行う。そしてその判定の結果、現在時刻と第２不足湯量沸上開始時刻との差が所定時間以上でない場合は、ヒートポンプユニット３の出力値を第１の出力値にして貯湯タンク５内の水を加熱させ、他方、その判定の結果、現在時刻と第２不足湯量沸上開始時刻との差が前記所定時間以上である場合は、ヒートポンプユニット３の出力値を第１の出力値よりも高い第２の出力値にして貯湯タンク５内の水を加熱させる。尚、この場合の効果は、第５実施形態の効果と同じである。
【図面の簡単な説明】
【０１１５】
【図１】第１実施形態に係る貯湯式給湯装置の配管を中心とした構成概略図である。
【図２】第１実施形態に係る貯湯式給湯装置の制御装置の構成概略図である。
【図３】第１実施形態に係る貯湯式給湯装置の主要部分の動作を説明するフローチャートである。
【図４】第４実施形態に係る貯湯式給湯装置の制御装置の構成概略図である。
【図５】第４実施形態に係る貯湯式給湯装置の主要部分の動作を説明するフローチャートである。
【符号の説明】
【０１１６】
１  貯湯式給湯装置
３  ヒートポンプユニット
５  貯湯タンク
７  給湯部
９  浴槽
２５  追焚熱交換器
ｈ１  第１給水管
ｈ２  第２給水管
ｈ３  第１吐出管
ｈ４  第２吐出管
ｈ５  循環配管
ｈ６  外部の排水管
ｈ７  第１入湯管
ｈ９  第２入湯管
ｈ１０  第１出湯配管
ｈ１１  給湯配管
ｈ１３  第３排水管
ｈ１４  第２出湯配管
ｈ１５  第３給水管
ｈ１６  第３出湯配管
ｈ２０  給水管
ｈ２１  第１追焚循環配管
ｈ２４  第４排水管
ｈ２５  第２追焚循環配管
ｈ２７  第４排水管
ＳＷ１  水流スイッチ
Ｔ１  缶体上サーミスタ
Ｔ２〜Ｔ６  残湯量サーミスタ
Ｔ７  水温サーミスタ
Ｔ８  湯張りサーミスタ
Ｔ９  給湯サーミスタ
Ｔ１０  風呂サーミスタ
Ｕ１  第１の設定値
Ｕ２  第２の設定値
Ｖ１  第３の設定値
Ｖ２  第４の設定値
Ｗ２  給湯水量センサ
Ｗ１  湯張り水量センサ
Ｙ  水位センサ
【図１】
2010151362.tif 000003
【図２】
2010151362.tif 000004
【図３】
2010151362.tif 000005
【図４】
2010151362.tif 000006
【図５】
2010151362.tif 000007